(57)【要約】      （修正有）【課題】外部に駆動力を有効に取り出す原動機を提供する。【解決手段】クランクシャフト１１に接続棒１６によって回転円板６の外方に出した天秤梃子磁石７の外方先端に接続することにより、天秤梃子磁石７は長さの３分の１を中心とした磁石天秤梃子７の中心を主軸４の外回りをＴＴ字形の支軸１０を中心とすることにより天秤梃子磁石７の長さの３分の１をＴＴ字形１０を支軸とすることにより摺動運動をする方は軽く反対方向の天秤梃子磁石７は強く回転円板表裏交互固設の磁石５の合間に割り込ませ回転継続する。【選択図】図２
2013070594.tif 000002
【特許請求の範囲】
【請求項１】
四角形の基本台上に中心より左右に別け上部分を差込みの本体板の下部に凸形にメネジを、右側には右メネジ左側には左メネジと左右に別けて切り基本台の左右の中心より別け切ったオネジを基本台左右に差込み動力始動停止ハンドルを付け備える一方、外方向回りに固設の左右両面図に等しい角度隔に反発反は反発と一定方向に回転円板の回りに固設した主軸と回転円板の回りの中間に位置する本体版左右にパイプを２本別け、中間に足を付けＴＴ字形のパイプを十字形の左右の袖の部分をＴ字形横穴パイプを差込み、回転円板の外回りと主軸の合間に位置する左右交差の本体板左右に支い支軸として固設して構えた十字形の天秤梃子の頭部分には、反発は反発と一定方向に磁石を固設し備えた其の反対方向の天秤梃子棒を１本を２本に別け曲げ、左右を通し主軸を交差させ回転円板と同軸の主軸の左右両端に大傘歯車に子傘歯車を組み合わせ、主軸を縦長にしクランクシャフトに継ぐことによって  磁石天秤梃子の様に本体板左右にＴＴ字形の支い軸を中心とし磁石天秤梃子棒を長く３分の１を中心に磁石天秤梃子を上記の回転円板固設の磁石の合間に強力に左右する様にし、主軸の左右両端の立回回転の大傘形歯車より子傘形歯車の横回転の組み合わせにより、子傘形歯車の主軸を立て長にし外方に出しクランクシャフトを上記の様に回転円板と主軸の合い間に位置する本体板左右にＴ字形の支い軸とした天秤梃子を回転円板の左右を通し外方に出し磁石秤梃子の中心とする長さの３分の１とするＴＴ字形の支い軸を、本体板左右に固設の天秤梃子を２つに別け、主軸の左右を通し１本の梃子を２本に別け曲げ、回転円板左右を通し円板外方に出した磁石天秤梃子の先端と回転円板の主軸と同軸回転の大傘歯車の立て回転と子傘歯車の平ら    回転の  軸にクランクシャフトを接続し回転板左右を通し外方に出した先端と天秤梃子長さの３分の１を中心とすることにより摺動運動をする方は軽く反対方向の天秤梃子の先端の固設磁石は強く回転円板左右固設の磁石の合間に左右させ主軸と同軸立て回転の円板左右固設の磁石の合間に左右させ反発し合い、主軸と同軸左右の大傘歯車、子傘歯車と主軸と繰り返し回転するようにし、回転停止は３図の様に基本台の左右のみぞ上に四角形の本体板の左右の下部に凸の右側には右メネジ左側には左メネジと別けて切り備える一方基本台の中心より左右に山形に別けて切ったオネジを基本台の左右より本体板下部の凸形に差込んだオネジをクランクシャフトを回すことにより本体板下部の凸形左右に別けたメネジと供に回転円板左右の本体板下部の凸形と供に本体板左右に固設のＴ字形を中心の天秤梃子の先端磁石も回転円板左右固設の磁石より放れ停止するようにした。  磁石原動機における装置構造。
【発明の詳細な説明】
【発明の解決しようとすろ課題】
四角形１３の基台１９の中心より左右に別け上部を差込みの本体板１３の下部に凸形１３にメネジを、右側には右メネジ左ネジと左側には左メネジと中心より別けて切り基台１９の左右より別けて切った１８のオネジを基本台１９の左右に差込み動力始動停止ハンドル２０を付け備える一方、外向回りに固設の左右両面に等しい角度隔に反発は反発と一定方向に回転円板５の回りに表裏両面交互に回転円板６の回りに固設の主軸４と回転円板６の回りの中間に位置する左右交差の本体板１３の左右に本主軸４の回りにＴＴ字形のパイプに足を付けたＴ字形のパイプの穴の袖の部分に十字形の天秤梃子７袖の部分を差込みにする一方、十字形の天秤梃子７頭部分には反発は反発と一定方向に磁石７を固設し備えた其の反対方向の天秤梃子７を１本を２本別け曲げ主軸４の上下を通し回転円板６の外向に出した天秤梃子磁石７に固設し備えた其の反対方向の天秤梃子７の外向方向と前記の回転円板６の左右通し外方に出した天秤梃子磁石固設の反対端の天秤梃子７を備える一方、本体板主軸４の左右両端に大傘歯車８に子傘形歯車９を組み合わせた主軸４を縦軸長にしクランクシャフト１１接続棒１６によって天秤梃子外方端に接続することによって前記の天秤梃子磁石７の様に本体板１３主軸４の回りにＴＴ字形の支え軸を中心とした磁石天秤梃子７の長さの３分の１を中心とした磁石天秤梃子７を上記の回転円板固設の６の磁石５の合間に強力に左右するようにし、主軸４の左右両端の立回転の大傘歯車８の平回転の小傘形９を組み合わせた主軸４を立て長主軸１５とし外方に出しクランクシャフト１１に接続棒１６によって回転円板６の外方に出した天秤梃子磁石７の外方先端に接続することにより前記の天秤梃子磁石７は長さの３分の１を中心とした磁石天秤梃子７の中心を主軸４の外回りをＴＴ字形の支軸１０を中心とすることにより天秤梃子磁石７の長さの３分の１をＴＴ字形１０を支軸とすることにより摺動運動をする方は軽く反対方向の天秤梃子磁石７は強く回転円板表裏交互固設の磁石５の合間に割り込ませ回転継続する様にし、回転停止は図３の様に基本台１９左右より本体板の下部の凸形部１３にメネジを切り基本台１９の左右よりオネジ差し込み溝に本体板を左右より差し込みの四角形の本体板１３の差込み本体板を四角形の本体板１３を基本台の溝上に組合せ本体板１３の下部より凸形にメネジを切り基本台１９の左右よりオネジを差し込み中心より山形に別け切ったメネジを中心より山形に別け切ったメネジに基本台１９の左右より差し込みクランクシャフト２０を回すことによって基本台１９の溝上の本体板１３の差し込みの溝上から左右割り込み同じに本体板１３に固設のＴ字形と供に天秤梃子の先端の磁石７も回転円板６磁石５より放れ停止する。
【本発明の効果】
本発明に係る磁気原動機は以上の構成によることから、鉱物資源によらず主軸が駆動され、回転円板が回転すると、回転円板の磁石と、天秤梃子の半クランクシャフト部材の反転シャフト磁石が往復運動に伴い継続的に磁気的反発力を付与し、エネルギーを効率よく回転円板を回転させることができるので、其の回転から外部に駆動力を有効に取り出すことが出来る効果がある。また、本発明の係る磁気原動機を採用すれば、産業、生活上必要とされる種々に強力な低速回転を変則機構を介せず直接に得られ、原動機を軽量、小型のものにも出来るという効果もある。したがって、天候に左右されず公害も出さない機械を提供する。
【図面の簡単な説明】
【図１】本発明に係る立て右側面図。
【図２】本発明に係る立て右面図。
【図３】天秤梃子の先端の磁石が回転円板左右磁石より放れて停止の立て正面図。
【図４】主軸の部分の図にＴＴ字形に十字形の袖の部をＴＴ字形の左右の穴パイプに差し込んで立て天秤梃子棒２本より左右からＴＴ字形の支い軸より回転主軸の左右交差の図。
【図５】ＴＴ字形の段差の図。
【符号の説明】１．フリー
２．上面板
４．主軸
５．円板固設磁石
６．回転円板
７、天秤梃子固設磁石
８．大傘形歯車
９．小傘形歯車
１０．ＴＴ字形天秤梃子支い軸
１１．小傘形歯クランクシャフト
１３．本体板
１４．横長主軸支い軸
１５．立長主軸
１６．天秤梃子クランクシャフト接続棒
１７．スペル
１８．中心より左右に別けたオネジ
１９．基本台
２０．原動機開始停止クランシフトハンドル
【図１】
2013070594.tif 000003
【図２】
2013070594.tif 000004
【図３】
2013070594.tif 000005
【図４】
2013070594.tif 000006
【図５】
2013070594.tif 000007